(57)【要約】【課題】左手がレフ板などの操作で塞がっている場合でも、右手だけでカメラをホールドしながらレンズ鏡胴部に設けられたズームリングあるいはフォーカスリングを手動で操作することができるようにする。【解決手段】レンズ鏡胴部３ｂにズームリング６ａを備えたデジタルカメラ３に、三脚ネジ１３によって固定されるベース部材１１と、ベース部材１１に保持された回転軸１５に回転自在に軸支された操作ドラム１２を備える。操作ドラム１２の円筒面１２ａをズームリング６ａの外周面に接触させてズームリング６ａを回転可能とする。ベース部材１１がカメラ３の底部に取り付けられた時に、操作ドラム１２がグリップ部３ｇとズームリング６ａの間になるように配置する。【選択図】図２
2008181063.tif 000002
【特許請求の範囲】
【請求項１】
レンズ鏡胴部にリング状操作部材を備えたカメラに取り付けられるベース部材と、
前記ベース部材に保持された回転軸に回転自在に軸支され、前記リング状操作部材の外周面に接触し、手動操作による回転を前記リング状操作部材に伝達して前記リング状操作部材を回転させる操作ドラムとを備え、
前記ベース部材が前記カメラに取り付けられた時に、前記操作ドラムが前記カメラのグリップ部と前記リング状操作部材との間に位置することを特徴とする片手操作用装置。
【請求項２】
前記操作ドラムは、前記回転軸上をスライド移動可能であることを特徴とする請求項１記載のカメラの片手操作用装置。
【請求項３】
前記操作ドラムが、共通の回転軸上に複数個設けられたことを特徴とする請求項１または２記載のカメラの片手操作用装置。
【請求項４】
前記複数個の操作ドラムは、直径が全て同じであることを特徴とする請求項３記載のカメラの片手操作用装置。
【請求項５】
前記複数個の操作ドラムは、直径の大きさが２種類以上あることを特徴とする請求項３記載のカメラの片手操作用装置。
【請求項６】
前記操作ドラムは、前記リング状操作部材の外周面に接触して回転力を伝達する直径の異なる２つ以上の円筒面を備えたことを特徴とする請求項１ないし３いずれか記載のカメラの片手操作用装置。
【請求項７】
前記操作ドラムは、中央が最も直径が大きい３つ円筒面を備え、前記回転軸上をスライド移動して、前記３つの円筒面がそれぞれ異なるリング状操作部材の外周面と順次に接触することを特徴とする請求項６記載のカメラの片手操作用装置。
【請求項８】
前記操作ドラムは、前記回転軸上をスライド移動し前記回転軸に設けられたストッパに当接して位置決めされることを特徴とする請求項２ないし７いずれか記載のカメラの片手操作用装置。
【請求項９】
前記操作ドラムは、前記操作ドラムの内部に設けられたバネによって前記操作ドラムの回転軸孔内面に対して進退可能に取り付けられた位置決め部材を備え、
前記位置決め部材が前記回転軸の円周面に設けられた溝と挿脱可能に係合することによって、前記操作ドラムが位置決めされることを特徴とする請求項２ないし８いずれか記載のカメラの片手操作用装置。
【請求項１０】
前記位置決め部材は、板バネに一体に設けられた凸部であることを特徴とする請求項９記載のカメラの片手操作用装置。
【請求項１１】
前記操作ドラムは、前記回転軸上をスライド移動して、前記リング状操作部材への回転力の伝達をしない位置となることを特徴とする請求項２ないし１０いずれか記載のカメラの片手操作用装置。
【請求項１２】
前記回転軸は、前記ベース部材に保持された一端が前記ベース部材に対して回動可能に設けられ、前記一端を中心に回動して前記操作ドラムと前記リング状操作部材との接触を解除することを特徴とする請求項１ないし１０いずれか記載のカメラの片手操作用装置。
【請求項１３】
前記ベース部材は、押圧操作により前記操作ドラムに当接して該操作ドラムの不用意な回転を防止するロック部材を備えたことを特徴とする請求項１ないし１０いずれか記載の片手操作用装置。
【請求項１４】
レンズ鏡胴部にリング状操作部材を備えたカメラに取り付けられるベース部材と、前記ベース部材に設けられ手動操作によって移動するスライド部材とを備え、
前記ベース部材が前記カメラに取り付けられた時に、前記スライド部材の操作部が前記カメラのグリップ部と前記リング状操作部材の間に位置すると共に前記スライド部材のスライド部が前記リング状操作部材の外周面に接触し、
前記操作部が操作されて前記スライド部材がスライド移動した時に、その移動力を前記リング状操作部材に伝達して前記リング状操作部材を回転させることを特徴とする片手操作用装置。
【請求項１５】
前記ベース部材は、押圧操作により前記スライド部材に当接して該スライド部材の不用意な移動を防止するロック部材を備えたことを特徴とする請求項１４記載の片手操作用装置。
【発明の詳細な説明】
【技術分野】
【０００１】
本発明は、レンズ鏡胴部にリング状操作部材が設けられたカメラの付属装置に関し、特にリング状操作部材を片手で操作する為の片手操作用装置に関するものである。
【背景技術】
【０００２】
従来、カメラのレンズ鏡胴部にはズームリングあるいはフォーカスリングなどのリング状操作部材が複数設けられたものがある。このようなカメラで撮影を行う場合、右手でカメラのグリップ部を握り、右手人差し指でシャッタレリーズボタンを押すが、手ぶれによる画像劣化を防ぐため左手の掌にカメラボディを載せてカメラ重量を支え、左手の指で前記リング状操作部材を回転させる。
【０００３】
カメラを三脚に載せて撮影する場合も、左掌にカメラボディを載せることはないが、それ以外は同じで、右手でグリップ部を握りシャッタレリーズボタンを押し、左手でリング状操作部材を回す。このことは左手でレフ板を操作するなど、左手を使いたい場合に非常に不便である。
【０００４】
例えば、カメラ一体型ＶＴＲにおいて右手だけの片手操作を可能にする機構が下記特許文献１に記載されている。カメラの先端に配置されたズームレンズ群を制御するカム板と、カメラをホールドする手元に近い場所に配置した操作部材の間に、長いレバーを配置して機械的に連結することによって、カメラを右手だけでホールドしながらズーム操作することを可能としたものである。
【０００５】
また、下記特許文献２には小型デジタルカメラにおいて、カメラ背面側から見てカメラボディの中心線から右側に全ての操作部材を配置したものが示されている。これもカメラを右手でホールドしながら各種操作ボタンを操作できるようにしたものである。
【０００６】
【特許文献１】特開平０８−１０１３３２号公報
【特許文献２】特開２００２−３５４３１５号公報
【発明の開示】
【発明が解決しようとする課題】
【０００７】
しなしながら前述の特許文献による対策提案は、カメラの設計段階からカメラ機構の一部として構成しなければならない。また、一眼レフカメラのようにレンズ鏡胴部がカメラの中央部に配置され、レンズ鏡胴部に設けられたズームリングあるいはフォーカスリングを手動で操作することは、カメラを右手でホールドしながらできることではない。
【０００８】
本発明は上記問題点に鑑み、写真フィルムを使用するカメラあるいはデジタル一眼レフカメラのように、レンズ鏡胴部がカメラの中央に配置されたものでも、カメラを右手でホールドしながらレンズ鏡胴部に設けられたズームリングあるいはフォーカスリングを手動で操作することができる装置を提供する。
【課題を解決するための手段】
【０００９】
レンズ鏡胴部にリング状操作部材を備えたカメラに取り付けて用いられるベース部材と、前記ベース部材に保持された回転軸に回転自在に軸支された操作ドラムを備える。該操作ドラムの円筒面を前記リング状操作部材の外周面に接触させて前記リング状操作部材を回転可能とする。前記ベース部材が前記カメラの底部に取り付けられた時に、前記操作ドラムが前記カメラのグリップ部と前記リング状操作部材の間となるように配置する。複数の前記リング状操作部材に対応させる場合は、前記操作ドラムを、該操作ドラムの回転軸上をスライド移動可能に取り付ける。あるいは、前記操作ドラムを複数個設ける。前記複数個の操作ドラムは、直径が全て同じであっても良いし、直径の大きさが異なっても良い。また、直径の異なる２つ以上の円筒面を設けても良い。前記操作ドラムに中央が最も大きい直径の異なる３つの円筒面を設け、前記回転軸上をスライド移動して前記３つの円筒面が３つのリング状操作部材の外周面と順次に接触するようにしても良い。
【００１０】
前記操作ドラムは、前記回転軸上をスライド移動したときに、前記回転軸に一体に設けられたストッパに当接して位置決めされる。あるいは、バネによって該操作ドラムの軸孔内面に対して進退可能とした位置決め部材を該操作ドラムの内部に設け、前記回転軸の円周面に設けた溝に挿脱可能に係合させて位置決めされるようにする。前記位置決め部材は板バネに一体に設けられた凸部であっても良い。前記操作ドラムは、該操作ドラムの回転軸上をスライド移動して、前記リング状操作部材の外周面との接触が解除される位置となることができる。あるいは、前記回転軸の前記ベース部材に保持された一端を前記ベース部材に対して回動可能に設け、前記一端を中心に回動して前記操作ドラムと前記リング状操作部材との接触を解除するようにする。
【００１１】
前記ベース部材は、押圧操作により前記操作ドラムに当接して前記操作ドラムの不用意な回転を防止するロック部材を備える。
【００１２】
前記操作ドラムの代わりに、スライド部材を用いても良い。この場合は前記ベース部材が前記カメラの底部に取り付けられた時に、前記スライド部材の操作部が前記カメラのグリップ部と前記リング状操作部材の間に位置するように配置する。前記ベース部材には、押圧操作により前記スライド部材に当接して前記スライド部材の不用意な移動を防止するロック部材を備える。
【発明の効果】
【００１３】
本発明による片手操作用装置を用いれば、写真フィルムを使用するカメラあるいはデジタル一眼レフカメラのようなレンズ鏡胴部がカメラの中央に配置されたものでも、レンズ鏡胴部に設けられたズームリングあるいはフォーカスリングなどの操作を、カメラをホールドしている右手だけで行うことができる。これによって左手でレフ板などを取り扱いながら撮影することが可能となる。
【発明を実施するための最良の形態】
【００１４】
以下、本発明の実施形態であるデジタルカメラの片手操作用装置について説明する。図１に示すように片手操作用装置１０は、ベース部材１１と操作ドラム１２と三脚ネジ１３とロック部材１４とによって構成される。操作ドラム１２は、ベース部材１１に一体に設けられた支持部１１ａに固着された軸１５によって回転自在に取り付けられている。操作ドラム１２の円筒面１２ａは弾性材でできている。
【００１５】
ロック部材１４は、軸（図示せず）によってベース部材１１に取り付けられ、バネ１６は、ロック部材１４の押圧面１４ａが操作ドラム１２の円筒面１２ａから離れる方向にロック部材１４を付勢する。バネ１６によって付勢された前記ロック部材１４は、ロック部材１４に設けられたストッパ部１４ｅが前記ベース部材１１に当接して前記押圧面１４ａと前記円筒面１２ａとの間に隙間を保持する。また、ベース部材１１には、片手操作用装置１０をデジタルカメラ３に固定する為の固定部材である三脚ネジ１３が貫通する取付穴１１ｂと、片手操作用装置１０を三脚に固定する為の三脚ネジ穴１１ｃが設けられている。
【００１６】
図２に示すように、デジタルカメラ３が取り付けられた片手操作用装置１０は、ベース部材１１に設けられた取付穴１１ｂを介して三脚ネジ１３がデジタルカメラ３の底部に設けられた三脚ネジ穴に螺合して締め付けられることでデジタルカメラ３に強固に固定される。この時、操作ドラム１２は、デジタルカメラ３のレンズ鏡胴部６とグリップ部３ｇの間に配置され、円筒面１２ａはレンズ鏡胴部６に設けられたズームリング６ａの外周面に押し付けられる。
【００１７】
図３に示すように、デジタルカメラ３に固定された片手操作用装置１０は、前記ベース部材１１に設けられた前記三脚ネジ穴１１ｃに三脚９０の三脚ネジ９０ａが螺号して三脚９０に取り付けられる。
【００１８】
次に片手操作用装置１０の作用について説明する。片手操作用装置１０を取り付けたデジタルカメラ３のグリップ部３ｇをホールドしながら、薬指あるいは他の指で操作ドラム１２を回転させる。ズームリング６ａの表面は前記円筒面１２ａと同様に弾性材でできており、操作ドラム１２の回転はズームリング６ａに伝わりズームリング６ａが回転し撮影レンズのズーム操作ができる。
【００１９】
図４に示すように、操作ドラム１２の操作によって撮影レンズの画角が決定した後、例えば小指を使ってロック部材１４を上に押し上げると、ロック部材１４の押圧面１４ａが操作ドラム１２の円筒面１２ａに押し付けられ、ズームリング６ａが不用意に回らないようになる。
【００２０】
図５に示す片手操作用装置２０は、操作ドラム２２の円筒面２２ａが山型のローレット形状に形成されている。また、ロック部材２４の押圧面２４ａも同じ山型のローレット形状に形成される。
【００２１】
図６に示すように、前記片手操作用装置２０は、ズームリング７ａの表面が山型のローレット形状に形成されているデジタルカメラ４に取り付けて用いる。片手操作用装置２０では、ズームリング７ａと円筒面２２ａがローレット係合しているので、前述の円筒面１２ａが弾性材でできている操作ドラム１２を用いた時よりスリップすることが少なく操作ドラム２２の操作力量は軽い。
【００２２】
図７に示すように、操作ドラム２２の操作によって撮影レンズの画角が決定した後、例えば小指を使ってロック部材２４を上に押し上げ、ロック部材２４の押圧面２４ａを操作ドラム２２の円筒面２２ａとローレット係合させて、ズームリング７ａが不用意に回らないようにする。押圧面２４ａは山型のローレット形状に形成されているので、前述の操作ドラム１２を用いた時より軽い力量でロック部材２４を押し上げるだけで、操作ドラム２２の回転が阻止される。
【００２３】
図８に示す別の実施形態である片手操作用装置３０は、ベース部材３１、スライド部材３２と、三脚ネジ１３と、ロック部材３４とによって構成される。図９に示す分解図にて片手操作用装置３０の構成について説明する。ここで三脚ネジ１３と三脚ネジ穴３１ｂは前述の実施形態と同じである。支持枠３５は、ベース部材３１にネジ３７によって固定されている。スライド部材３２は、支持枠３５に摺動自在に支持される摺動部３２ａと、操作部３２ｂによって構成され、摺動部３２ａの前記ズームリング６ａに接触する接触部３２ｃは弾性材でできている。
【００２４】
ロック部材３４は、軸（図示せず）によってベース部材３１に取り付けられ、バネ１６は、ロック部材３４がスライド部材３２から離れる方向にロック部材３４を付勢する。バネ１６によって付勢されたロック部材３４は、ロック部材３４に設けられたストッパ部３４ｅがベース部材３１に当接してロック部材３４に設けられた押圧突起３４ａとスライド部材３２との間に隙間を保持する。
【００２５】
図１０に示すように、デジタルカメラ３に取り付けた片手操作用装置３０は、備えられた三脚ネジ３３がデジタルカメラ３の三脚ネジ穴に螺合して締め付けられることでデジタルカメラ３に強固に固定される。この時、スライド部材３２の操作部３２ｂは、デジタルカメラ３のレンズ鏡胴部６とグリップ部３ｇの間に配置され、スライド部材３２の接触部３２ａはレンズ鏡胴部６に設けられたズームリング６ａに押し付けられる。
【００２６】
片手操作用装置３０を取り付けたデジタルカメラ３のグリップ部３ｇをホールドしながら、薬指あるいは他の指で操作部３２ｂを摺動させる。ズームリング６ａの表面は前記接触部３２ｃと同様に弾性材でできており、スライド部材３２の動きはズームリング６ａに伝わりズームリング６ａが回転し撮影レンズのズーム操作ができる。前述の実施形態と同様に、スライド部材３２の操作によって撮影レンズの画角が決定した後、例えば小指を使ってロック部材３４を上に押し上げ、ロック部材３４の押圧面３４ａをスライド部材３２の底面に強く押し付け、ズームリング６ａが不用意に回らないようにする。
【００２７】
図１１に示す片手操作用装置４０は、前述の片手操作用装置３０の支持枠３５を廃止してベース部材４１にアリ溝４１ａを一体に設けたものである。図１２の分解図に示すように、スライド部材４２の摺動部４２ａの底部４２ｄは、アリ溝４１ａに嵌合する形状となっている。これによって支持枠３５が不要となるから部品数が削減され、組付け作業も不要となる。これ以外の部材は片手操作用装置３０と同じであり、その作用も同じである。
【００２８】
図１３に示すように片手操作用装置５０は、前述の片手操作用装置３０からスライド部材３２を取り除き、ローレット形状に形成した接触部５２ｃを備えたスライド部材５２に置き換えたものであり、スライド部材５２以外は前述の片手操作用装置３０と同じである。図１４に示すように、デジタルカメラ４に取り付けた片手操作用装置５０は、片手操作用装置３０同様にデジタルカメラ４のグリップ部４ｇをホールドしながら、薬指あるいは他の指で操作部５２ｂを摺動させて、ズームリング６を操作することができる。
【００２９】
図１５に示す片手操作用装置６０は、片手操作用装置４０からスライド部材４２を取り除き、ローレット形状に形成した接触部６２ｃを備えたスライド部材６２に置き換えたものであり、スライド部材６２以外は前述の片手操作用装置４０と同じであり、その作用・効果も同じである。
【００３０】
図１６に示す片手操作用装置７０は、ベース部材７１に外付けストロボ取り付け部材７６を設けて、外付けストロボ７７が取り付けられるようにしたものである。外付けストロボ取り付け部材は例えば三脚ネジである。外付けストロボ取り付け部材７６は、ベース部材７１だけでなく、前述の全てのべース部材１１、３１、４１、５１あるいは６１にも取り付けられるようにすることができる。
【００３１】
以上説明した実施形態は、デジタルカメラのグリップ部を右手でホールドしながら、レンズ鏡胴部に設けられたズームリングを右手で操作することができる片手操作用装置であるが、本発明は、ズームリングに限るものではなく、デジタルカメラのレンズ鏡胴部に設けられたリング状操作部材であればいかなるものでも採用可能である。
【００３２】
例えばズームリングではなく、フォーカスリングであっても同じであり、図１７に示すように、本発明をフォーカスリングの操作を行う片手操作用装置に採用することができる。片手操作用装置８０は、操作ドラム８２の円筒面８２ａがデジタルカメラ３のフォーカスリング８ｂと接触している。
【００３３】
片手操作用装置８０は、前述の片手操作用装置１０における操作ドラム１２を、フォーカスリング８ｂと接触する操作ドラム８２に置き換えたものであるが、前述の他の片手操作用装置２０、３０、４０、５０、６０、７０についても、操作ドラムあるいはスライド部材がフォーカスリングと接触するように置き換えることが可能であることは言うまでもない。
【００３４】
ここで、図１８に示すように、１つのズームリングに操作ドラムを２つ設けても良い。ベース部材１１１の支持部１１１ａには２本の軸１５と１１５が設けられ、そこに操作ドラム１２と操作ドラム１２より直径の大きい操作ドラム１１２が取り付けられている。操作ドラム１１２は操作ドラム１２を回すときよりズームリング６ａを早く回すことができるが、その分、操作ドラム１２はズーミングの微調節をすることが容易である。
【００３５】
また、図１９に示すように、同じ直径の操作ドラムを２つ設けてズームリングとフォーカスリングの両方を操作できるようにする。ベース部材１１に前述の操作ドラム１２と操作ドラム８２を設け、ドラム１２はズームリング６ａに接触させ、操作ドラム８２をフォーカスリング６ｂに接触させる。この時、ロック部材もズームリング６ａ用のロック部材１１４と、フォーカスリング６ｂ用のロック部材１４の２つを設けると良い。
【００３６】
あるいは、図２０に示すように、操作ドラム１２２が、軸１２５上をスライド移動可能にして、デジタルカメラ５に設けられたズームリング８ａとフォーカスリング８ｂのいずれかと選択的に接触できるようにする。図２１に示すように、操作ドラム１２２をフォーカスリング８ｂと接触させる時は、操作ドラム１２２を支持部１１ａ側に寄せて回転操作し、図２２に示すように、ズームリング８ａと接触させる時は、操作ドラム１２２を軸１２５のストッパ１２５ａに寄せて回転操作する。このように、１つの操作ドラム１２２によってズームリング８ａとフォーカスリング８ｂの両方を操作することができる。
【００３７】
図２３に示すように、ズームリング８ａとフォーカスリング８ｂの間に、操作ドラム１２２がズームリング８ａとフォーカスリング８ｂのどちらとも接触しない十分な間隔がある場合は、その位置で操作ドラム１２２を停止させることによって、操作ドラム１２２をズームリング８ａあるいはフォーカスリング８ｂのどちらにも接触させないようにすることが可能である。
【００３８】
位置決めの方法は、軸１２５の中央部分に軸１２５の円柱面に沿ってＶ溝１２５ｃを設け、操作ドラム１２２の内側に位置決め部材を設ける。位置決め部材であるクリックボール１２３は、操作ドラム１２２の軸穴１２２ｂに穴１２２ｃを設けてコイルバネ１２４とともに挿入され、コイルバネ１２３によって軸穴１２２ｂの内壁面に対して進退可能に取り付けられる。クリックボール１２３が、前記軸１２５の円周面に設けられたＶ溝１２５ｃと挿脱可能に係合することによって、前記操作ドラム１２２が位置決めされる。
【００３９】
図２４（ａ）および矢視断面図（ｂ）に示すように、操作ドラム１２６は、前記位置決め部材として、板バネを用いても良い。板バネ１２７は、一端に山形に絞られた凸部１２７ｃを有し、略Ｕ字形に形成されて、操作ドラム１２６に設けられた取り付け穴１２６ｃに挿入される。板バネ１２７が取り付け穴１２６ｃに正しくセットされた状態では、前記凸部１２７ｃの中央部が軸穴１２６ｄに突出する。この突出した部分がＶ溝１２５Ｃと係合して操作ドラム１２６を所定位置に停止させる。Ｖ溝１２５Ｃと係合しない位置では、この突出した部分も取り付け穴１２６Ｃ内に押し戻される。
【００４０】
また、図２５（ａ）に示すように、操作ドラム１２２を支える軸１３２の一端が、ベース部材の支持部１３１に回動軸１３１ａによって回動自在に軸支されるようにしても良い。これによって、軸１３２はレンズ鏡胴部９から離れる方向に回動可能となり、操作ドラム１２２は、レンズ鏡胴９に設けられたズームリングやフォーカスリングなどのリング状操作部材９ａ，９ｂ，９ｃのいずれと接触している場合であっても接触を解除することができる（図２５（ｂ）参照）。
【００４１】
図２６に示す操作ドラム１３５は、直径の小さい円筒面１３５ａと直径の大きい円筒面１３５ｂを有する。前記操作ドラム１３５は、円筒面１３５ｂがレンズ鏡胴部１３６に設けられたリング状操作部材のうち、直径の小さいリング状操作部材１３６ｂと接触しているので、操作ドラム１３５によってリング状操作部材１３６ｂを操作することができる。図２７に示すように、操作ドラム１３５をスライド移動させ、円筒面１３５ａがリング状操作部材１３６ａと接触させると、操作ドラム１３５によって直径の大きいリング状操作部材１３６ａを操作することができる。
【００４２】
また、図２８に示す操作ドラム１３８は３つの円筒面１３８ａ，１３８ｂ，１３８ｃを有する。中央の円筒面１３８ｂは円筒面１３８ａ，１３８ｃより大きい。レンズ鏡胴部１３９にはリング状操作部材１３９ａ，１３９ｂ，１３９ｃが設けられ、中央のリング状操作部材１３９ｂが最も大きい。操作ドラム１３８は、図２３に示すクリックボール１２３とコイルバネ１２４が内蔵され、軸１２５にはＶ溝１２５Ｃが設けられているので、操作ドラム１３８は中央の円筒面１３８ｂがリング状操作部材１３９ｂと接触する位置に位置決めされる。
【００４３】
図２９に示すように、操作ドラム１３８をベース部材１１の支持部１１ａ側に寄せると円筒面１３８ｃがリング状操作部材１３９ｃと接触する。また、図３０に示すように、操作ドラム１３８を軸１２５のストッパ１２５ａ側に寄せると円筒面１３８ａがリング状操作部材１３９ａと接触する。ここで、円筒面１３８ａと１３８ｃは必ずしも同じ径である必要はなく、リング状操作部材１３９ａと１３９ｃと接触可能にすれば良い。
【００４４】
更に、図３１に示すデジタルカメラのレンズ鏡胴部１４１には、リング状操作部材１４１ａ，１４１ｂ，１４１ｃ，１４１ｄが設けられている。片手操作用装置のベース部材１１に設けた軸１４５には前記操作リング１３５を向きを変えて２つ取り付ける。このようにリング状操作部材が複数設けられている場合には、複数の円筒面を持つ操作ドラムを複数個設けることで対応可能である。
【００４５】
前記実施形態では、操作ドラムの位置決めにＶ溝を用いたが、軸に設ける溝はＶ溝であることに限定されるものではなく、Ｕ溝であっても良く、その他の断面形状をした溝であっても良い。
【００４６】
前記実施形態は、デジタルカメラを用いて説明したが銀塩フィルム用のカメラであっても良く、レンズ鏡胴部にリング状操作部材を備えたカメラであれば、どのようなカメラであっても本発明を採用することは可能である。
【図面の簡単な説明】
【００４７】
【図１】本発明の実施形態である片手操作用装置の斜視図である。
【図２】本発明の実施形態である片手操作用装置をデジタルカメラに固定した状態を示す斜視図である。
【図３】デジタルカメラに固定した片手操作用装置を三脚に取り付けた状態を示す斜視図である。
【図４】ズームリングをロックした状態を示す斜視図である。
【図５】係合部をローレット形状にした操作ドラムを用いた片手操作用装置の斜視図である。
【図６】図５の片手操作用装置をデジタルカメラに固定した状態を示す斜視図である。
【図７】図５の片手操作用装置のズームリングをロックした状態を示す斜視図である。
【図８】別の実施形態である片手操作用装置の斜視図である。
【図９】別の片手操作用装置の分解図である。
【図１０】別の片手操作用装置をデジタルカメラに固定した状態を示す斜視図である。
【図１１】スライド部材のガイドとしてベース部材にアリ溝を設けた別の片手操作用装置の斜視図である。
【図１２】スライド部材のガイドとしてベース部材にアリ溝を設けた別の片手操作用装置の分解図である。
【図１３】係合部をローレット形状としたスライド部材を用いた別の片手操作用装置の斜視図である。
【図１４】図１３に示す別の片手操作用装置をデジタルカメラに固定した状態を示す斜視図である。
【図１５】係合部をローレット形状としたスライド部材とアリ溝を設けたベース部材を用いた別の片手操作用装置の斜視図である。
【図１６】ベース部材に外付けストロボ取り付け部材を設けた図である。
【図１７】本発明をフォーカスリングに採用した片手操作用装置をデジタルカメラに固定した状態を示す斜視図である。
【図１８】大小２つの操作ドラムを取り付けた時の操作ドラムの説明図である。
【図１９】ズームリング用操作ドラムとフォーカスリング用操作ドラムを備えた片手操作用装置をデジタルカメラに固定した状態を示す斜視図である。
【図２０】スライド移動する操作ドラムを備えた片手操作用装置をデジタルカメラに固定した状態を示す斜視図である。
【図２１】スライド移動する操作ドラムの説明図である。
【図２２】スライド移動する操作ドラムの説明図である。
【図２３】スライド移動する操作ドラムの位置決め部材の説明図である。
【図２４】スライド移動する操作ドラムの位置決め部材の説明図である。
【図２５】操作ドラムを支持する軸を回転させてカメラのリング状操作部材との接触を解除可能とした時の説明図である。
【図２６】大小２つの円筒面を有する操作ドラムの説明図である。
【図２７】大小２つの円筒面を有する操作ドラムの説明図である。
【図２８】大小３つの円筒面を有する操作ドラムの説明図である。
【図２９】大小３つの円筒面を有する操作ドラムの説明図である。
【図３０】大小３つの円筒面を有する操作ドラムの説明図である。
【図３１】複数の円筒面を有する操作ドラムを複数備えた時の説明図である。
【符号の説明】
【００４８】
３，４，５  デジタルカメラ
３ｇ，４ｇ，５ｇ  グリップ部
６，７，８，９，１３６，１３９，１４１  レンズ鏡胴部
６ａ，７ａ，８ａ  ズームリング
６ｂ，７ｂ，８ｂ  フォーカスリング
９ａ，９ｂ，９ｃ，１３６ａ，１３６ｂ，１３９ａ，１３９ｂ，１３９ｃ，１４１ａ，１４１ｂ，１４１ｃ，１４１ｄ  リング状操作部材
１０，２０，３０，４０，５０，６０，７０，８０  片手操作用装置
１１，３１，４１，５１，６１，７１，８１，１１１  ベース部材
１２，２２，８２，１１２，１２２，１２６，１３５，１３８  操作ドラム
１３  三脚ネジ
１４，２４，３４，１１４  ロック部材
１５，１１５，１２５，１３２，１４５  軸
３２，４２，５２，６２  スライド部材
３５  支持枠
１２３  クリックボール
１２４  コイルバネ
【図１】
2008181063.tif 000003
【図２】
2008181063.tif 000004
【図３】
2008181063.tif 000005
【図４】
2008181063.tif 000006
【図５】
2008181063.tif 000007
【図６】
2008181063.tif 000008
【図７】
2008181063.tif 000009
【図８】
2008181063.tif 000010
【図９】
2008181063.tif 000011
【図１０】
2008181063.tif 000012
【図１１】
2008181063.tif 000013
【図１２】
2008181063.tif 000014
【図１３】
2008181063.tif 000015
【図１４】
2008181063.tif 000016
【図１５】
2008181063.tif 000017
【図１６】
2008181063.tif 000018
【図１７】
2008181063.tif 000019
【図１８】
2008181063.tif 000020
【図１９】
2008181063.tif 000021
【図２０】
2008181063.tif 000022
【図２１】
2008181063.tif 000023
【図２２】
2008181063.tif 000024
【図２３】
2008181063.tif 000025
【図２４】
2008181063.tif 000026
【図２５】
2008181063.tif 000027
【図２６】
2008181063.tif 000028
【図２７】
2008181063.tif 000029
【図２８】
2008181063.tif 000030
【図２９】
2008181063.tif 000031
【図３０】
2008181063.tif 000032
【図３１】
2008181063.tif 000033